(57)【要約】【課題】  クリーンなルーム１を出入すべく扉体４を開閉したときの圧力変化によるショックを受けて排気口側集塵フィルター８に付着する浮遊物が床面に落下しないようにすると共に、給気口２から供給される空気の浄化を計りつつ、供給される空気が人に直接当ることがないようにする。【解決手段】  排気口３や給気口２に取り付ける集塵フィルター８を、集塵機能を有する通気性のある周面部１２と通気性のない底面部１３とで構成し、しかも周面部１２は、集塵フィルター８を底面視したとき底面部１３によって隠れるよう小さくしたもの。【選択図】        図２
2005066445.tif 000002
【特許請求の範囲】
【請求項１】
天井部に配される空気の排気口に着脱自在に設けられる集塵フィルターであって、該集塵フィルターは、排気口に着脱自在に連結される連結部と、該連結部から垂下する袋状のフィルター部とからなり、前記フィルター部は、集塵機能を有する通気性のある周面部と通気性のない底面部とを備え、前記周面部は、集塵フィルターを底面視したとき底面部によって隠れるように設定されていることを特徴とする集塵フィルター。
【請求項２】
天井部に配される空気の給気口に着脱自在に設けられる集塵フィルターであって、該集塵フィルターは、給気口に着脱自在に連結される連結部と、該連結部から垂下する袋状のフィルター部とからなり、前記フィルター部は、集塵機能を有する通気性のある周面部と通気性のない底面部とを備え、前記周面部は、集塵フィルターを底面視したとき底面部によって隠れる大きさに設定されていることを特徴とする集塵フィルター。
【請求項３】
請求項１または２において、周面部は、水平断面した断面積が上側ほど小さい形状をしていることを特徴とする集塵フィルター。
【請求項４】
請求項３において、水平断面した断面積が上側ほど小さい形状は、截頭錐体形状であることを特徴とする集塵フィルター。
【請求項５】
請求項３において、水平断面した断面積が上側ほど小さい形状は、截頭半球形状であることを特徴とする集塵フィルター。
【請求項６】
請求項１または２において、周面部は、水平断面した断面積が上側ほど小さい形状をしている上側部と、水平断面した断面積が一定の下側部とを備えて構成されていることを特徴とする集塵フィルター。
【請求項７】
請求項１または２において、周面部は、蛇腹状をしていることを特徴とする集塵フィルター。
【請求項８】
請求項１乃至７の何れか一つにおいて、底面部は、周面部下端縁に対して水平方向に長く延出していることを特徴とする集塵フィルター。
【請求項９】
請求項１乃至８の何れか一つにおいて、連結部を外した場合に、周面部が底面部内に低く納まるものであることを特徴とする集塵フィルター。
【請求項１０】
請求項１乃至９の何れか一つにおいて、底面部は、中央部ほど低い椀形状をしていることを特徴とする集塵フィルター。
【請求項１１】
請求項１乃至９の何れか一つにおいて、底面部は、下側ほど中央側に低くなるよう傾斜した外周縁部と、該外周縁部の下端縁に連続する平板状の中央部とを備えて構成されていることを特徴とする集塵フィルター。
【発明の詳細な説明】
【技術分野】
【０００１】
本発明は、例えば病院等建築物の部屋や廊下に設けられる排気口、給気口に設けられる集塵フィルターの技術分野に属するものである。
【背景技術】
【０００２】
一般に、微生物（バクテリア（細菌）、リケッチヤ、ウイルス等）のなかには、空気中に放置しても数時間、長いものでは数日間も生きているものがあり、またこのような微生物は空気中に単独で浮遊する場合もあるが、多くが塵埃等の各種空気浮遊物に付着しあるいは取り込まれて浮遊し、これらが呼吸等により直接、または浮遊物が皮膚や被服に付着したものが間接的に体内に侵入して感染することになる。
ところで、空調システムの中には、排気口から排気した空気の一部または全部を再度供給空気として使用するものがあり、このような空調システムを採用した場合、排気ダクトが浮遊物の付着で汚れるだけでなく、前記微生物を含む空気が再循環されて室内に供給されることになって好ましくなく、特にこれが複数の部屋に供給されるものであると、他の部屋において二次感染が発生する惧れがあり、好ましくない。そこで排気口に集塵フィルターを設けて浮遊物を除去するようにしたものがある（例えば特許文献１）。
一方、部屋や廊下等に空気を供給するための供給口が設けられるが、このような供給口から供給される空気に前記浮遊物が混入しないよう供給口に集塵フィルターを設けて浮遊物の除去をすることが提案される（例えば特許文献１）。
【特許文献１】特開平１０−１４８３６８号公報
【発明の開示】
【発明が解決しようとする課題】
【０００３】
ところで前記従来の集塵フィルターは、これを排気口に設けたものである場合、浮遊物の殆どはダクト（通気路）側ではなく室内側面に殆どが付着しており、この結果、扉体を開閉した際の気圧変化によるショック等を受けて集塵フィルターが振れ（微動し）、これによって前記付着した浮遊物が集塵フィルターから落下する。該落下した浮遊物の一部は再び浮遊物となるものもあるが、集合体となったものは床面に落下することになって床面が汚染する。
また、前記集塵フィルターは、定期的に交換する必要があるが、該交換する際のショックを受けて同じく付着した浮遊物が落下するという問題があり、床面の汚染を招くことになり、これらに解決すべき課題がある。
一方、集塵フィルターを給気口に設けた場合、給気ダクトを経て供給される空気に含まれる浮遊物は、集塵フィルターの給気ダクト側に付着することになるため、排気口に設けた場合のように付着物の落下という問題はないが、前記従来の集塵フィルターは、給気口から下方に向けて空気を給気するものであるため、給気効果は、給気口下側周辺程度と僅かであるだけでなく、該給気口下側に集中して空気流が生じることになって、ここに人がいた場合、不快感を感じるという問題があり、ここにも解決すべき課題がある。
【課題を解決するための手段】
【０００４】
本発明は、上記の如き実情に鑑みこれらの課題を解決することを目的として創作されたものであって、請求項１の発明は、天井部に配される空気の排気口に着脱自在に設けられる集塵フィルターであって、該集塵フィルターは、排気口に着脱自在に取り付けられる口金部と、該口金部から垂下する袋状のフィルター部とからなり、前記フィルター部は、集塵機能を有する通気性のある周面部と通気性のない底面部とを備え、前記周面部は、集塵フィルターを底面視したとき底面部によって隠れるように設定されていることを特徴とする集塵フィルターであり、このようにすることで、排気空気中の浮遊物は、集塵フィルターに付着するが、その付着箇所は、通気性がなく自然状態でしか浮遊物が付着することのない底面部により隠される周面部に付着することになるため、扉体の開閉や交換時等のショックを受けて集塵フィルターが振れたときに、付着した浮遊物が下方に落下することを防止できる。
請求項２の発明は、天井部に配される空気の給気口に着脱自在に設けられる集塵フィルターであって、該集塵フィルターは、給気口に着脱自在に取り付けられる口金部と、該口金部から垂下する袋状のフィルター部とからなり、前記フィルター部は、集塵機能を有する通気性のない周面部と通気性のある底面部とを備え、前記周面部は、集塵フィルターを底面視したとき底面部によって隠れる大きさに設定されていることを特徴とする集塵フィルターであり、このようにすることで、供給空気中の浮遊物は集塵フィルターに付着するが、該集塵フィルターによって供給される空気は、底面部からの供給はなく、周面部からの供給となって天井面に沿って広く分散され、一箇所に集中しないようにすることができる。
請求項３の発明は、請求項１または２において、周面部は、水平断面した断面積が上側ほど小さい形状をしていることを特徴とする集塵フィルターであり、請求項４の発明は、請求項３において、水平断面した断面積が上側ほど小さい形状は、截頭錐体形状であることを特徴とする集塵フィルターであり、請求項５の発明は、請求項３において、水平断面した断面積が上側ほど小さい形状は、截頭半球形状であることを特徴とする集塵フィルターであり、このようにすることで、簡単な周面部形状とすることができる。
請求項６の発明は、請求項１または２において、周面部は、水平断面した断面積が上側ほど小さい形状をしている上側部と、水平断面した断面積が一定の下側部とを備えて構成されていることを特徴とする集塵フィルターであり、請求項７の発明は、請求項１または２において、周面部は、蛇腹状をしていることを特徴とする集塵フィルターであり、このようにすることでも、簡単な周面部形状とすることができる。
請求項８の発明は、請求項１乃至７の何れか一つにおいて、底面部は、周面部下端縁に対して水平方向に長く延出していることを特徴とする集塵フィルターであり、このようにしたときには、延出部によって付着浮遊物の下方への落下防止効果をより高め、あるいは供給空気のより効率のよい分散を計ることができる。
請求項９の発明は、請求項１乃至８の何れか一つにおいて、連結部を外した場合に、周面部が底面部周縁内に納まるものであることを特徴とする集塵フィルターであり、このようにすることで、集塵フィルターを交換する場合に、浮遊物が付着する周縁部を底面部周縁内に納めることができ、付着した浮遊物が外部に出ないようにすることができる。
請求項１０の発明は、請求項１乃至９の何れか一つにおいて、底面部は、中央部ほど低い椀形状をしていることを特徴とする集塵フィルターであり、請求項１１の発明は、請求項１乃至９の何れか一つにおいて、底面部は、下側ほど中央側に低くなるよう傾斜した外周縁部と、該外周縁部の下端縁に連続する平板状の中央部とでを備えて構成されていることを特徴とする集塵フィルターであり、このようにすることで、集塵フィルターを交換する場合に付着した浮遊物が外部にでない構成を簡単に達成できる。
【発明の効果】
【０００５】
請求項１の発明とすることで、扉体の開閉や交換時等のショックを受けて集塵フィルターが振れたときに、付着した浮遊物の下方への落下防止ができることになって、排気口下方への付着浮遊物の落下を無くして病院等の場合のように二次感染を防止する等の効果がある。
請求項２の発明とすることで、供給空気は、天井面に沿っても広く分散され、一箇所に集中しないようにすることができて、一方向に集中する場合のように不快感を生じたりすることがない等の効果がある。
【発明を実施するための最良の形態】
【０００６】
次ぎに、本発明の実施の形態について図面に基づいて説明する。図中、１は室内圧が陽圧に設定される（陰圧、通常圧に設定されていても勿論良い）クリーンなルームであって、該ルーム１の天井部１ａには、室内に空気を供給するための給気口２と、室内の空気を排出するための排気口３とがそれぞれ形成されると共に、人等の出入口に設けられる開閉自在な扉体４を備えて構成されている。因みに、本実施の形態では、給気口２、排気口３は円筒形状になっているが、四角筒形状等、必要において適宜の形状に設定できることは言うまでもない。
【０００７】
一方、５は図示しない冷暖房機能を備えた空気浄化装置（単に空調装置であっても勿論良い）であって、該空気浄化装置５は、外気を一部取り入れる状態で、排気口３から排気ダクト６を経由して装置内に入った空気を、例えばオゾン（Ｏ３）や紫外線等で殺菌処理すると共に、集塵フィルター５ａで空気中の浮遊物を除去するようにして浄化処理した空気を、給気ダクト７を経由して前記給気口２に供給するものが採用されている。ここで集塵フィルター５ａの素材としては、布状となったヘパフィルター（ＨＥＰＡ：Ｈｉｇｈ  Ｅｆｆｉｃｉｅｎｃｙ  Ａｉｒ  Ｆｉｌｔｅｒ；０．３μｍ（マイクロメートル）の粒子を９９．７％以上除去する能力を有するフィルター）、さらにはウルパフィルター（ＵＬＰＡ：Ｕｌｔｒａ  Ｌｏｗ  Ｐｅｎｅｔｒａｔｉｏｎ  Ａｉｒ  Ｆｉｌｔｅｒ；０．１μｍの粒子を９９．９９９％以上除去する能力を有するフィルター）を例示することができる。
【０００８】
前記給気口２、排気口３には、本発明が実施された集塵フィルター８がそれぞれ着脱自在に取り付けられている。つまり集塵フィルター８は、給気口２または排気口３にビス９等の通常知られた着脱手段を介して着脱できる円筒状（給気口２、排気口３の形状に対応させている）の口金部（本発明の「連結部」に相当する。口金部を設ける場合、例えば口金部外周面に外螺子を刻設し、排気口内周面に内螺子を刻設して螺合により着脱自在に連結する構成にできる。また連結部としては、フィルター部の素材をそのまま筒状にし、バンド等で締結することにより給気口２または排気口３に着脱自在に直接連結する構成にもできる。）１０と、通過する空気に含まれる浮遊物を除去するためのフィルター部１１とを備えて構成されている。本実施の形態では、給気口２、排気口３の下端縁が天井面より少し垂下しており、これを排気口３について例にして説明すると、この垂下部３ａに前記口金部１０を嵌合し、前記ビス９により集塵フィルター８は着脱自在に止着できるようになっている。
【０００９】
前記フィルター部１１は、口金部１０から垂下する集塵機能を有する通気性のある周面部（通気部または集塵部とも表現できる。）１２と、該周面部１２の下端縁に設けられる通気性のない底面部（非通気部または非集塵部とも表現できる。）１３とを備えて構成されるが、周面部１２は、前記空気浄化装置５に用いた集塵フィルター５ａと同じ前記素材（つまりヘパフィルターやウルパフィルター）を用いることができるが、本実施の形態では、周面部１２は水平断面したときの断面積が上側ほど小さく、口金部１０が截頭部分となった截頭円錐形状をしている。そして周面部１２は、前記截頭部１２ａを口金部１０に外嵌し、緊締バンド１０ａを介して着脱自在に止着されている。
【００１０】
一方、底面部１３は、盲状の板材（素材としては金属、木材、樹脂材等、必要において種々のものを採用できる。）により通気性がないように形成されているが、該底面部１３は、下側ほど中央側に低くなるよう傾斜した外周縁部１３ａと、該外周縁部１３ａの下端縁に連続する平板状の中央部１３ｂとを備えて略円皿形状に形成されている。そして下側ほど中央側に傾斜した傾斜部１３ａと、該傾斜部１３ａの下端縁に位置する外周縁部１３ａと中央部１３ｂとのコーナー部（折曲部）に円筒状に突出した取り付け部１３ｃが形成され、該取り付け部１３ｃに前記周面部１２の下端縁が外嵌し、緊締バンド１４等の止着部材で着脱自在に止着されている。そして集塵フィルター８は、このように構成することで、底面視した場合に、集塵機能がある周面部１２は底面部１３に隠れて見えない設定になっているが、さらに底面部外周縁部１３ａが周面部１２の下端縁に対して水平方向に鍔状に長く延出する構成になっている。そしてこの集塵フィルター８では、口金部１０を給気口２又は排気口３から外すと、周面部１２を折り畳むことで底面部１３内に納まる構成になっている。因みに、本実施の形態のフィルター部８は、底面部１３の重さ（自重）により形態（形状）維持ができるようになっているが、形態維持のため、必要において中骨材（補強材）を口金部１０と底面部１３とのあいだに介装するようにしても勿論良い。
【００１１】
叙述の如く構成された本発明の実施の形態において、ルーム１は、空気浄化装置５において浄化された空気が給気口２から供給され、該ルーム１内の空気は排気口３から排出されることになるが、該排出された空気は再び空気浄化装置５によって浄化される循環式の空気浄化がなされることになる。この場合において、排気口３から排出される空気は、排気口３に取付けた集塵フィルター８によって浮遊物が除去されたものになり、この結果、排気ダクト６は浮遊物が除去された空気が通過することになって排気ダクト６の内壁に浮遊物が付着することを防止できる。
一方、給気ダクト７を経由して給気口２からルーム１に供給される空気は、該給気口２に取付けた集塵フィルター８によって浮遊物が除去され、ここにおいても給気される空気の清浄化が計れることになる。
【００１２】
そしてこのようなルーム１において、人が出入するべく扉体４を開閉した場合に、該開閉したことによりルーム１内は圧力変化が生じ、そのときのショックを受けて集塵フィルター８が振れる。ところで排気側集塵フィルター８にはその外周面に空気浮遊物が付着しており、前記集塵フィルター８が振れることで該集塵フィルター８に付着する浮遊物が脱落しようとするが、浮遊物の付着部位は集塵フィルター８の集塵機能を有した通気性のある周面部１２であって、通気性のない底面部１３には空気通過による浮遊物の付着はない。この結果、実質上、底面部１３からの付着した浮遊物の脱落はなく、周面部１２からの脱落となるが、該周面部１２は、集塵フィルター８を底面視したときに底面部１３から隠れていて見えないため、周面部１２から脱落しようとする付着物は周面部１２自体あるいは底面部１３に捕捉されることになって床面に向けて落下することはない。
【００１３】
一方、給気側の集塵フィルター８については、空気浄化装置５から給気ダクト７を経て供給される空気に含まれる浮遊物の除去をすることになるが、該給気側集塵フィルター８からルーム１内に供給される空気は、通気性のない底面部１３から供給されることなく、周面部１２から供給されることになる。この結果、該供給される空気は天井面１ａに沿う横向き状態で緩かに供給され、底面部から供給されるもののように下向きになってこれに晒される人に不快感を与えることがない。
【００１４】
しかもこのものでは、集塵フィルター８の集塵機能を有した通気性のある周面部１２が、水平断面した断面積が上側ほど小さい截頭円錐形をしているため、排気口側の集塵フィルター８において周面部１２から脱落しようとする付着浮遊物の脱落防止が計れると共に、脱落した場合に該脱落位置よりも下側の周面部１２に捕捉されることになってより一層高い脱落防止が計れることになる。
【００１５】
そのうえこのものでは、底面部１３が、周面部１２の下端縁に対して水平方向に長く延出しているため、周面部１２から脱落する付着浮遊物の捕捉がより確実になるが、さらにこの延出する部位は、外周縁が周面部１２下端縁に対して上方に位置している結果、底面部１３で捕捉した落下浮遊物の落下防止がより確実になる。
【００１６】
また集塵フィルター８を交換するには、ビス９を外して口金部１０ごと取り外して交換するか、バンド１０ａを緩めて（または外して）口金部１０は残した状態で周面部１２を取り外して交換することになり、これら交換作業は必要において何れでも実施することができるが、これら取り外しをした場合に、図４に示されるように周面部１２が折り畳まれる状態で底面部１３に収まるように収容されるため、交換作業時において付着浮遊物の飛散を防止できることになる。
【００１７】
尚、本発明は前記実施の形態に限定されないものであって、集塵フィルターとしては、底面視したときに、集塵機能がある通気性の周面部が通気性のない底面部に遮られて見えない構成になっていれば良く、そのため底面視したときに、底面部の大きさを、周面部の大きさと同じにしていれば足りるが、付着浮遊物の落下防止効果を高めるには底面部の大きさが周面部よりも大きくした方が好ましい。図５に周面部、底面部の他の実施の形態の概略を示すが、（Ａ）のものは周面部１２は直線状の截頭錐体形状をし、底面部１３については中央側ほど低い椀形状をしたものであり、（Ｂ）（Ｃ）のものは周面部１２が水平断面積が上側ほど小さい截頭錐体形状の変形で、（Ｂ）のものは截頭半球形状をし、（Ｃ）のものはその逆の形状をしたものである。また（Ｃ）のものは、周面部１２下端縁が底面部１３の外周面部１３ａに止着した例を示している。また（Ｄ）のものは周縁部１２を、水平断面下断面積が上側ほど小さくなっている上半部と水平断面積の変化がない下半部とで構成したものである。（Ｅ）のものは周面部１２が蛇腹状になっている（蛇腹形状を維持するため、大小リング状の骨材を蛇腹の大径部、小径部に設けることができる）一方、底面部１３が平板状となったものであり、（Ｆ）のものは周面部１２を筒状にしたものであるが、周面部１２下端縁が底面部１３の中央部１３ｂかわに止着したものである。最後に（Ｇ）のものは周縁部１２がそろばん球形状をしたもので、集塵フィルターとしては、このように種々の形状にして実施することができる。また、集塵フィルターの給気口、排気口への取り付けも着脱できるものであれば任意であり、周面部の底面部への止着は、必ずしも着脱できる構成でなくても良いが、底面部を再利用するという観点からすると着脱できる構成とすることが好ましい。
【図面の簡単な説明】
【００１８】
【図１】クリーンなルームの概略図である。
【図２】排気口部の概略断面図である。
【図３】集塵フィルターの斜視図である。
【図４】集塵フィルターを収納した場合を示す断面図である。
【図５】（Ａ）〜（Ｇ）は集塵フィルターの他例を示す概略側面図である。
【符号の説明】
【００１９】
１    クリーンなルーム
２    給気口
３    排気口
４    扉体
５    空気浄化装置
８    集塵フィルター
１２    周面部
１３    底面部
【図１】
2005066445.tif 000003
【図２】
2005066445.tif 000004
【図３】
2005066445.tif 000005
【図４】
2005066445.tif 000006
【図５】
2005066445.tif 000007